(57)【要約】      （修正有）【課題】使い捨てダスターシート面のほぼ全域を塵の付着に使うことができるモップを提供する。【解決手段】モップヘッド１をヘッド保持具２と自在継手４とを介して柄３に連結する際、モップヘッド上面１ａとモップヘッド底面１ｂどちらの面でも柄寄りに装着固定できる構造とする。モップヘッドは厚み１センチメートル程の長方形板状で、ダスターシート１１をモップヘッドの上面底面を覆うように巻き付け、端をシート係止穴５に挿入して止める。モップヘッドとヘッド保持具は、モップヘッド短側面１ｃに形成した係り凹凸６に、ヘッド保持具端部２ａに形成した保持機構７を嵌めて装着固定する。モップヘッドとヘッド保持具の装着固定は、モップヘッド短側面に形成したスリット穴にヘッド保持具端部に形成した保持板片を嵌める方法か、モップヘッドを反転が可能な状態とヘッド保持具に固定する状態とに切り替えできるヒンジ連結を用いる方法とすることができる。【選択図】図１
2019005517.tif 000002
【特許請求の範囲】
【請求項１】
長方形板状のモップヘッドと、ヘッド保持具と、棒状の柄と、自在継手と、を具備するモップにおいて、前記ヘッド保持具と前記柄が前記自在継手で連結され、前記モップヘッドの上面底面全体を覆うようにダスターシートが係止された状態で前記モップヘッドは前記ヘッド保持具と分離および装着固定ができて、前記モップヘッドを前記ヘッド保持具に装着固定したとき前記自在継手が前記長方形板状モップヘッド上面の対角線交点上部に位置することを特徴とするモップ。
【請求項２】
前記モップヘッドの両短側面に凹凸を具備し、前記ヘッド保持具の両端部に前記凹凸に嵌合する保持機構を具備し、前記モップヘッドの両短側面を前記ヘッド保持具の両端部が挟みつけ装着固定するときの位置決めガイドとなり、前記モップヘッドの上面底面を反転しても前記モップヘッドを前記ヘッド保持具の同位置に装着固定することを特徴とする請求項１に記載のモップ。
【請求項３】
前記モップヘッドの側面にスリット状の深い穴を具備し、前記ヘッド保持具の端部に前記スリット状の深い穴に嵌合する板状の保持機構を具備し、前記モップヘッドの側面に前記ヘッド保持具の端部を挿入して装着固定するときの位置決めガイドとなり、前記モップヘッドの上面底面を反転しても前記モップヘッドを前記ヘッド保持具の同位置に装着固定することを特徴とする請求項１に記載のモップ。
【請求項４】
前記モップヘッドの両短側面にヒンジを具備し、前記ヘッド保持具の両端部が前記ヒンジの対向側と連結され、前記ヒンジが開いた時に前記モップヘッドの上面底面が反転でき、前記ヒンジが閉じた時に前記モップヘッドと前記ヘッド保持具が装着固定するときの位置決めガイドとなり、前記モップヘッドの上面底面を反転しても前記モップヘッドを前記ヘッド保持具の同位置に装着固定することを特徴とする請求項１に記載のモップ。
【発明の詳細な説明】
【発明の詳細な説明】
【技術分野】
【０００１】  本発明は、使い捨てダスターシートを係止するモップに関する。
【関連する背景技術】
【発明が解決しようとする課題】
【０００２】  いま商品化されている使い捨てダスターシートを係止する方式の床掃除用モップは、ダスターシートの端部をモップヘッド上面に設けたスリット状の穴に押込み係止する構成であり、そのモップヘッド上面と棒状の柄が自在継手で常時連結されているためモップヘッド上面を床面に押し当て使用することは許されず、モップヘッド上面に位置したダスターシート部分は床面に触れることが無いので塵の付着に使われること無く捨てられる。この捨てられている面積はダスターシートの半分程にもなり資源の無駄遣いである。
【０００３】  本発明はこのような資源の無駄遣いを解消するもので、その目的は、使い捨てダスターシート面のほぼ全域を塵の付着に使うことができるモップを提供することにある。
【課題を解決するための手段】
【０００４】  上述した目的を達成すべく本発明に係るモップは、モップヘッドをヘッド保持具と自在継手とを介して柄に連結するが、モップヘッド上面とモップヘッド底面どちらの面でも柄寄りに装着固定できる構造にしたことを特徴としている。
【発明を実施するための形態】
【０００５】  以下、図面を参照して本発明の一実施形態に係るモップについて説明する。
図１はモップの概略構成を示す図で、全体図はダスターシートが係止されたモップヘッドがヘッド保持具に装着固定された状態を表し、拡大図はモップヘッドがヘッド保持具から分離された状態を表す。モップはモップヘッド１、モップヘッド上面１ａ、モップヘッド底面１ｂ、モップヘッド短側面１ｃ、モップヘッド長側面１ｄ、ヘッド保持具２、ヘッド保持具端部２ａ、柄３、自在継手４からなり、モップヘッド上面１ａにはシート係止穴５、モップヘッド短側面１ｃには係り凹凸６が形成され、ヘッド保持具端部２ａには係り凹凸６に嵌合する保持機構７が形成される。ヘッド保持具２と柄３は自在継手４で連結される。
モップヘッド１は厚み１センチメートル程の長方形板状で、これにダスターシート１１をモップヘッド１の上面底面を覆うように巻き付け端をシート係止穴５に挿入して止める。シート係止穴５は例えばモップヘッド上面１ａだけに４個またはモップヘッド上面１ａとモップヘッド底面１ｂそれぞれに２個あれば良い。
モップヘッド１とヘッド保持具２はモップヘッド短側面１ｃに形成した係り凹凸６にヘッド保持具端部２ａに形成した保持機構７を嵌めて装着固定する。モップヘッド１とヘッド保持具２が正しく装着固定されたとき自在継手４の動作中心は長方形板状モップヘッド１上面の対角線交点上部にある。装着固定時に自在継手４がここに位置することはモップの使い勝手を決める上で極めて大切な要素であり、若し自在継手４の動作中心がモップヘッド短側面１ｃ上とかモップヘッド長側面１ｄ上といった長方形板状の対角線交点上から大きく外れた位置に来たら柄３の動きに対してモップヘッド１が首振り動作を伴うようになり使い勝手が大変悪いものとなってしまう。
図１で係り凹凸６は円錐状突起、保持機構７はすり鉢状穴を例示したが、これら係り凹凸６と保持機構７の形状は嵌合するものであれば円柱状とか平板状とかの形を問わずまた係り凹凸６が凹で保持機構７が凸であってもよい。
【０００６】  図２もモップの概略構成を示す図で、全体図はダスターシートが係止されたモップヘッドがヘッド保持具に装着固定された状態を表し、拡大図はモップヘッドがヘッド保持具から分離された状態を表す。モップはモップヘッド１、モップヘッド上面１ａ、モップヘッド底面１ｂ、モップヘッド短側面１ｃ、モップヘッド長側面１ｄ、ヘッド保持具２、ヘッド保持具端部２ａ、柄３、自在継手４からなり、モップヘッド上面１ａにはシート係止穴５、モップヘッド短側面１ｃにはスリット穴８が形成され、ヘッド保持具端部２ａにはスリット穴８に嵌合する保持板片９が形成される。ヘッド保持具２と柄３は自在継手４で連結される。
モップヘッド１は厚み１センチメートル程の長方形板状で、これにダスターシート１１をモップヘッド１の上面底面を覆うように巻き付け端をシート係止穴５に挿入して止める。シート係止穴５は例えばモップヘッド上面１ａだけに４個またはモップヘッド上面１ａとモップヘッド底面１ｂそれぞれに２個あれば良い。
モップヘッド１とヘッド保持具２はモップヘッド短側面１ｃに形成したスリット穴８にヘッド保持具端部２ａに形成した保持板片９を嵌めて装着固定する。モップヘッド１とヘッド保持具２が正しく装着固定されたとき自在継手４の動作中心は長方形板状モップヘッド１上面の対角線交点上部にある。装着固定時に自在継手４がここに位置することはモップの使い勝手を決める上で極めて大切な要素であり、若し自在継手４の動作中心がモップヘッド短側面１ｃ上とかモップヘッド長側面１ｄ上といった長方形板状の対角線交点上から大きく外れた位置に来たら柄３の動きに対してモップヘッド１が首振り動作を伴うようになり使い勝手が大変悪いものとなってしまう。
図２でスリット穴８はモップヘッド短側面１ｃに形成したが、これをモップヘッド長側面１ｄに形成しても同様の機能を実現できる。ただしこの場合シート係止穴５はモップヘッド上面１ａとモップヘッド底面１ｂそれぞれに２個設ける必要がある。
【０００７】  図３もモップの概略構成を示す図で、全体図はダスターシートが係止されたモップヘッドがヘッド保持具に装着固定された状態を表し、拡大図はモップヘッドがヘッド保持具から分離された状態を表す。モップはモップヘッド１、モップヘッド上面１ａ、モップヘッド底面１ｂ、モップヘッド短側面１ｃ、モップヘッド長側面１ｄ、ヘッド保持具２、ヘッド保持具端部２ａ、柄３、自在継手４、ヒンジ１０からなり、モップヘッド上面１ａにはシート係止穴５、モップヘッド１とヘッド保持具２はモップヘッド短側面１ｃにヒンジ１０の一端を半固定、ヘッド保持具２にヒンジ１０の対向端を固定して連結される。ヘッド保持具２と柄３は自在継手４で連結される。
モップヘッド１は厚み１センチメートル程の長方形板状で、これにダスターシート１１をモップヘッド１の上面底面を覆うように巻き付け端をシート係止穴５に挿入して止める。シート係止穴５は例えばモップヘッド上面１ａだけに４個またはモップヘッド上面１ａとモップヘッド底面１ｂそれぞれに２個あれば良い。
モップヘッド１はヒンジ１０が開いている時にモップヘッド短側面１ｃ側ヒンジ１０の半固定部を回転軸として反転できて、ヒンジ１０を閉じた時にはヘッド保持具２がモップヘッド１に装着固定する。ヘッド保持具２が正しく装着固定されたとき自在継手４の動作中心は長方形板状モップヘッド１上面の対角線交点上部にある。装着固定時に自在継手４がここに位置することはモップの使い勝手を決める上で極めて大切な要素であり、若し自在継手４の動作中心がモップヘッド短側面１ｃ上とかモップヘッド長側面１ｄ上といった長方形板状の対角線交点上から大きく外れた位置に来たら柄３の動きに対してモップヘッド１が首振り動作を伴うようになり使い勝手が大変悪いものとなってしまう。
【発明の効果】
以上説明したように、従来はモップヘッド１に巻きつけ係止したダスターシート１１の面積のほぼ半分がモップヘッド上面１ａ側に来て、ダスターシート１１の係止にのみ使われ塵吸着をすることなく捨てられていたが、本発明によればモップヘッド上面１ａとモップヘッド底面１ｂを反転使用できるのでダスターシート１１の面積のほぼ全部が塵吸着に供せるようになり資源を無駄なく使えるといった実用上多大なる効果が奏せられる。
【図面の簡単な説明】
【０００８】
【図１】  本発明の一実施形態に係るモップの概略構成図。
【図２】  本発明の一実施形態に係るモップの概略構成図。
【図３】  本発明の一実施形態に係るモップの概略構成図。
【符号の説明】
【０００９】  １  モップヘッド
１ａ  モップヘッド上面
１ｂ  モップヘッド底面
１ｃ  モップヘッド短側面
１ｄ  モップヘッド長側面
２  ヘッド保持具
２ａ  ヘッド保持具端部
３  柄
４  自在継手
５  シート係止穴
６  係り凹凸
７  保持機構
８  スリット穴
９  保持板片
１０  ヒンジ
１１  ダスターシート
【図１】
2019005517.tif 000003
【図２】
2019005517.tif 000004
【図３】
2019005517.tif 000005